(57)【特許請求の範囲】
【請求項１】
腺毛形捕虫葉を備えた食虫植物の原種株を培地に接種後、無菌培養するに際して、前記原種株の株分け接種培養安定後の腺毛形捕虫葉を備えた食虫植物に、総線量３０〜９０Ｇｙで、かつ被曝時間５０〜２００秒で被曝させた後、継代の株分け時に改良株として取り出すことを特徴とする食虫植物の改良方法。
【請求項２】
前記培地が、無機要素及び炭素源とともに培養体の細胞、組織の増殖・分化の促進剤を含み、前記無機要素のうち、少なくとも五大肥料要素の全部をＭｕｒａｓｈｉｇｅ−Ｓｋｏｏｇ培地（ＭＳ培地）における含量以下としたものを使用することを特徴とする請求項１記載の食虫植物の改良方法。
【請求項３】
前記腺毛形捕虫葉を備えた食虫植物がドロセラ属食虫植物であることを特徴とする請求項１又は２記載の食虫植物の改良方法。
【請求項４】
請求項１、２又は３記載の食虫植物の改良株をさらに、培地に接種して無菌培養することを特徴とする食虫植物の改良株の継代維持方法。
【発明の詳細な説明】
【０００１】
【発明の属する技術分野】
本発明は、観賞植物の改良（改質）方法に関する。さらに、詳しくは、観賞植物の原種株を培地に接種後、無菌培養するに際して、原種株とは形質の異なる改良株が容易に得られる方法に関する。
【０００２】
【背景技術】
従来の観賞植物の改良は、通常、無性繁殖（接枝・芽枝・分裂・圧条等）できるものは、該無性繁殖により行なっていた。
【０００３】
【発明が解決しようとする課題】
しかし、無性繁殖は、手間がかかる上に、確実性に乏しかった。
【０００４】
また、無性繁殖では、原種（自然種）と異なる、従来に類を見ない外見・雰囲気を呈するものは、得難かった。
【０００５】
本発明は、上記にかんがみて、観賞植物において、原種（自然種）と異なる、従来に類の見ない外見・雰囲気を呈するものを提供することを目的とする。
【０００６】
【課題を解決するための手段】
本発明者らは、上記課題を解決するために、鋭意開発に努力をした結果、無菌培養中の観賞植物に、所定総線量・被曝時間の条件で被曝させた後、継代の株分け時に、改良株として取り出せばよいことを見出して、下記構成の観賞植物の改良方法に想到した。
【０００７】
観賞植物の原種株を培地に接種後、無菌培養するに際して、前記原種株の株分け前の又は株分け接種後無菌培養中の観賞植物に、所定総線量・被曝時間の条件で被曝させた後、継代の株分け時に、改良株として取り出すことを特徴とする。
【０００８】
観賞植物が食虫植物の場合、被曝条件は、株分け接種培養安定後、総線量３０〜９０グレイ（Ｇｙ）で、かつ被曝時間５０〜２００秒後とすることが望ましい。
【０００９】
上記接種培養に使用する培地としては、無機要素及び炭素源とともに促進剤を含み、無機要素のうち、少なくとも五大肥料要素の全部又は一部を一般高等植物に要求される量以下の含量としたものを使用することが望ましい。
【００１０】
さらに、本発明を適用する代表的な食虫植物としては、ドラセラ属が望ましい。
【００１１】
上記改良株の継代維持は、通常、食虫植物の改良株をさらに、培地に接種して無菌培養して行なう。
【００１２】
【手段の詳細な説明】
以下、本発明の各構成について、詳細に説明をする。
【００１３】
（１）  基本的には、観賞植物の原種株を培地に接種後、無菌培養するに際して、原種株の株分け前の又は株分け接種後無菌培養中の観賞植物に、所定総線量・被曝時間の条件で被曝させた後、継代の株分け時に、改良株として取り出すことを特徴とするものである。
【００１４】
ここで、観賞植物としては、特に限定されないが、これらの内で、生命力があり、色及び形態に特異性が求められる食虫植物が望ましい。
【００１５】
食虫植物としては、下記各属名のものを挙げることができる。
【００１６】
ダイオネア属（ｅｘ．  ハエトリグサ）、ドロセラ属（ｅｘ．  モウセンゴケ）、ドロソフィルム属、ダーリングトニア属、ヘリアンフォラ属、サラセニア属、ネペンテス属（ｅｘ．  ウツボカヅラ）、セファロータス属（ｅｘ．  ウツボカヅラ）、ビブリス属、ロリデュラ属、ピングィキュラ属（ｅｘ．  ムシトリスミレ）、ウトリキュラリア（ｅｘ．  タヌキモ）、ポリポンポリックス。
【００１７】
これらの食虫植物の内で、特に、ドラセラ属が、品種が多くて、研究対象とし易くて、望ましい。ドラセラ属に含まれる具体的な品種には、ドロセラ・システィンフロラ、ドロセラ・ペダタ、ドロセラ・パウシフロラ、ドロセラ・バンクシアイ、ドロセラ・ペルタタ等を挙げることができる。
【００１８】
上記無菌培養する培地としては、本発明を食虫植物に適用する場合は、一般高等植物に多用されている培地、例えばＭｕｒａｓｈｉｇｅ−Ｓｋｏｏｇ  培地（ＭＳ培地）を使用してもよいが、これらのＭＳ培地等において、無機要素及び炭素源とともに促進剤を含み、無機要素のうち、少なくとも五大肥料要素の全部又は一部（特にＮ源）を一般高等植物に要求される量以下の含量としたものを使用することが望ましい。
【００１９】
上記ＭＳ培地を使用して、無菌培養した食虫植物は、野生の食虫植物に比して捕虫部（腺毛・捕虫葉・捕虫曩）が小さく、かつ、腺毛粘液の出も悪く、捕虫機能に欠けるとともに、食虫部も野生色に近いものではなくなるためである。
【００２０】
本発明に使用する培地は、無機要素及び炭素源とともに培養体の細胞、組織の増殖・分化の促進剤を含むものである。
【００２１】
ここで無機要素としては、五大肥料要素及び微量肥料要素がある。具体的には、五大肥料要素の例としては、それぞれ下記のものを例示できる。
【００２２】
0003557515.tif 000002
また、微量肥料要素としては、それぞれ下記のものを例示でき、その作用は下記の通りである。これらの微量肥料要素は、必要により添加すればよい。
【００２３】
鉄（Ｆｅ）成分：植物の成育に不可欠でありクロロフィル合成に使用される。通常、不溶性沈殿を作り易いため、キレート化して用いる必要があり、具体的にはＦｅ２  ＳＯ４  をＮａ２  −ＥＤＴＡ（エチレンジアミン四酢酸）でキレート化したＦｅ−ＥＤＴＡを好適に使用できる。
【００２４】
ホウ素（Ｂ）成分：陽イオンの吸収増進、陰イオンの吸収抑制の作用を奏する。具体的には、Ｈ３  ＢＯ３  等を好適に使用することができる。
【００２５】
マンガン（Ｍｎ）成分：呼吸作用、酸化酵素作用の促進作用を奏する。具体的には、ＭｎＳＯ４  ・４Ｈ２  Ｏ等を好適に使用することができる。
【００２６】
亜鉛（Ｚｎ）成分：酸化・還元反応に関係する。具体的には、ＺｎＳＯ４  ・７Ｈ２  Ｏ等を好適に使用することができる。
【００２７】
銅（Ｃｕ）成分：酸化酵素の成分となる。具体的には、ＣｕＳＯ４  ・６Ｈ２  Ｏ等を好適に使用することができる。
【００２８】
モリブデン（Ｍｏ）成分：空中窒素の固定等に関与する。具体的には、Ｎａ２  ＭｏＯ４  ・２Ｈ２  Ｏ等をあげることができる。
【００２９】
炭素源は、培養過程では光合成が弱いため、培養体の生育に必要とされている。通常、蔗糖（スクロース）、麦芽糖（マルトース）等の二糖類、又は、ぶどう糖（グルコース）、果糖（フルクトース）等の単糖類を挙げることができる。
【００３０】
培養体の細胞、組織の増殖・分化の促進剤としては、各種ビタミン、ミオイノシトール、アミノ酸等の有機物がある。これらの有機物は必要により添加すればよい。
【００３１】
ビタミンとしては、具体的には、チアミン、ピリドキシン、ニコチン酸等を挙げることができる。
【００３２】
ミオイノシトールは、細胞、組織の増殖・分化の促進効果があるとされている。
【００３３】
アミノ酸は、培養体の成長、分化に重要な役割を果たしているとされている。具体的には、グリシン、グルタミン酸、アスパラギン酸等を挙げることができるとされている。
【００３４】
培地の態様は、水溶液でもよいが、通常、外植片の接種及び培養条件の維持のし易さから、ゲル化剤でゲル化させて固形培地の形態にして使用する。ゲル化剤としては、増粘多糖類である寒天（アガー）が好適であるが、他のゲル化剤、例えば、ペクチン、アルギン酸、ウロン酸、ムコ多糖（以上「増粘多糖類」）、ゼラチン（コラーゲン変性体）、等でも可能である。
【００３５】
上記各成分を含む培地において、本発明に使用する培地は、無機要素のうち、すくなくとも五大肥料要素の全部又は一部（特にＮ源）を一般高等植物に要求される量以下の含量（零を含む。）として、食虫植物の食虫部を肥大化させるとともに野生色に近づけることが可能なものを使用する。
【００３６】
具体的には、無機要素のうち、すくなくとも五大肥料要素の全部又は一部が一般高等植物に要求される量の、通常１／１．５（０．６６）以下、望ましくは１／３．５（０．２８）以下、更に望ましくは１／７．５以下の含量（零を含む。）とする。
【００３７】
ここで、五大肥料要素の一部とは、Ｎ、Ｐ、Ｋ、Ｃａ、Ｍｇのいずれか１又は２以上の成分の含量を零ないし本発明の範囲内とし、他の成分を高等植物の要求量のままとする場合を含むことを意味する。これらの内で、Ｎ源をゼロとし、Ｐ源及びＣａ源を必須成分として含有させることが望ましい。
【００３８】
更に、具体的には、培地組成が、表１に示すＭＳ培地組成において、前記五大肥料要素の全部が１／１．５以下、望ましくは１／３．５以下、更に望ましくは１／７．５以下の含量（零を含む。）とする。
【００３９】
ここで、１／１．５以下でなくても、食虫植物の捕虫部（食虫部を含む）を肥大化と野生色に近づけることができるなら、確認していないがそれ以上、例えば、１／１．３（０．７５）以下でも上記本発明の効果を得ることができる可能性は有するが、上記の如く、通常、１／１．５以下とする。
【００４０】
本明細書で、１／１．５以下とは、１／１．５（０．６６）以下を、１／４以下とは、１／３．５（０．２８）以下を、１／８以下とは、１／７．５（０．１３）とする。
【００４１】
また、より確実に食虫植物を野生の捕虫機能及び野生色に近づけるためには、五大肥料要素に加えて、炭素源の量を調整することが望ましい。
【００４２】
例えば、食虫植物が二枚貝形捕虫葉を備えているときは、炭素源含量５〜５５ｇ／Ｌ、望ましくは７〜５３ｇ／Ｌ、五大肥料要素の全部の含量１／１．５以下、望ましくは１／３．５以下で、炭素源含量及び五大肥料要素含量のそれぞれの最適値を３０ｇ／Ｌ及び零として収斂する範囲とすることが望ましい。
【００４３】
食虫植物の腺毛形捕虫部を備えているときは、炭素源含量５〜５５ｇ／Ｌ、望ましくは、１０〜４０ｇ／Ｌ、五大肥料要素の全部の含量１／１．５以下、望ましくは、１／３．５以下で、前記炭素源含量及び五大肥料要素含量のそれぞれの最適値を２０ｇ／Ｌ及び零として収斂する範囲とすることが望ましい。
【００４４】
炭素源含量が過少では、本発明の効果を得難く、また、炭素源含量が過多では、無駄である。
【００４５】
なお、上記では適用培地としてＭＳ培地を例に採ったが、他の培地、例えば、Ｂ５培地、ＶＷ（Ｖａｃｉｎ−Ｗｅｎｔ）培地、ＫＣ（ｋｎｕｄｓｏｎ  Ｃ）  培地、ＬＳ（Ｌｉｎｓｍａｉｅｒ−Ｓｋｏｏｇ）  培地等を適用培地として、本発明の展開が可能である。これらの培地組成は、後述の参考文献「植物細胞組織培養」ｐ．３９０〜３９１等に記載されている。
【００４６】
（２）  そして、本発明を食虫植物に適用した場合の、本発明の望ましい被曝条件（照射条件）は、株分け接種培養安定後、総線量３０〜９０Ｇｙで、かつ被曝時間５０〜２００秒、望ましくは、総線量４０〜７０Ｇｙで、かつ被曝時間８０〜１４０秒、さらに望ましくは、総線量４５〜５５Ｇｙで、かつ被曝時間９０〜１３０秒とする。
【００４７】
株分け接種培養の安定期間は、食虫植物により異なるが、１週〜４週、ドロセラ属の場合、３週前後とする。
【００４８】
上記被曝総線量が小さかったり時間が短過ぎては、確実な観賞植物の改良効果（形質変化）を得難く、逆に被曝総線量が大き過ぎたり時間が長すぎると、観賞植物自体が細胞が形質変化以上に損傷して生命維持が困難となる。
【００４９】
ここで、放射線とは、放射線崩壊により発生するα線、β線及びγ線ばかりでなく、同程度のエネルギーを持つＸ線、その他核反応等で発生する粒子線も含む。
【００５０】
そして、通常、観賞植物に対する被曝（放射線照射）は、株分け接種後無菌培養中の観賞植物に対して行なうが、原種株の株分け前に行なってもよい。
【００５１】
（３）  上記被曝させた後、継代の株分け時に、改良株として取り出し、該改良株をさらに、培地に接種して無菌培養して継代維持を行なう。
【００５２】
なお、被曝させた、無菌培養中の観賞植物が全て、改良種に変わるわけではなく、部分的に変わるのみである。このため、改良株として取り出せるのは、被曝させた観賞植物の内の１０％以下、通常、２〜７％である。改良株変換率を高めようとする場合には、総線量や被曝時間を多くすればよいが、改良株の継代維持が困難となる。
【００５３】
上記培地としては、食虫植物に本発明を適用したとき、前述のものを好適に使用できる。
【００５４】
【実施例】
ドロセラ・システィンフロラを、表１に示すＭＳ培地の全濃度を１／２とした培地（１／２ＭＳ培地）に株分け接種し温度：２０〜３０℃、照度：１８００〜４０００Ｌｘの条件で培養した。
【００５５】
接種後、２週間経過後に、汎用の放射線照射装置を用いて、総線量５０Ｇｙで、かつ１１５秒照射して、無菌培養を継続して、３ケ月後に、継代株分けした。このとき、下記の如く、原種株とは異なる外見の改良株が５％程度存在していた。該改良株を、１／２ＭＳ培地に接種して、無菌培養したところ、改良株と同様の外見のものが増殖して、継代維持可能であった。
【００５６】
なお、原種株は、葉Ｌの色は緑で腺毛Ｇが多く、かつ、葉の長さは１．５〜３ｃｍであり、さらには、茎Ｓは葉で隠れて見えない外見を呈し、根Ｒも太いのに対し（図１参照）、改良株は、葉Ｌの色は白っぽい緑で、腺毛Ｇが少なく、葉の長さが１〜１．５ｃｍと小さく、さらには、茎Ｓが細長くて葉Ｌで隠れずに見える外見を呈し、根Ｒも細かった（図２参照）。
【００５７】
なお、培地に使用した容器は、実験用のガラス製無菌培養容器（５００ｃｃ）を用いた。
【００５８】
【表１】
0003557515.tif 000003
【００５９】
【発明の効果】
本発明の観賞植物の改良方法は、観賞植物の原種株を培地に接種後、無菌培養するに際して、前記原種株の株分け前の又は株分け接種後無菌培養中の観賞植物に、所定総線量・被曝時間の条件で被曝させた後、継代の株分け時に、改良株として取り出すことにより、前述の実施例で支持される如く、観賞植物において、原種（自然種）と異なる、従来に類の見ない外見・雰囲気を呈することが可能となる。
【００６０】
【参考文献】
本明細書を記載するに際して、参照にした文献を下記する。
【００６１】
（１）  化学大辞典編集委員会編「化学大辞典７」（昭３７−７−３１）共立出版、ｐ．５７０
（２）  原田他一名編「植物細胞組織培養」（１９７９−１１−１５）理工学社ｐ．１５〜２４
（３）  食虫植物研究会編「花アルバム食虫植物」（１９６６−４−２０）誠文堂新光社、ｐ．８２
（４）  近藤勝彦他一名「原色食虫植物」（昭５８−５−１）家の光協会
【図面の簡単な説明】
【図１】ドロセラ・システィフロラの原種株の形態を示す断面モデル図。
【図２】ドロセラ・システィフロラの改良株の形態を示す断面モデル図。
【符号の説明】
Ｌ  ドロセラ・システィフロラの葉
Ｇ  同じく腺毛
Ｓ  同じく茎
Ｒ  同じく根
【図１】
0003557515.tif 000004
【図２】
0003557515.tif 000005